(57)【要約】【課題】本体部を手で握り保持した状態においても、運転状態情報などを明確に表示できる電気かみそりを提供する。【解決手段】グリップを兼ねる本体部１と、機能部２と、機器情報を表示する表示部３とで外郭構造を構成する。本体部１と機能部２との間に表示部３を配置して、本体部１を手で握り保持した状態において、表示部３の外面が手で覆われるのを解消し、表示部３が常に視認できるようにする。【選択図】図１
2006141901.tif 000002
【特許請求の範囲】
【請求項１】
グリップを兼ねる本体部（１）と、機能部（２）と、機器情報を表示する表示部（３）とで外郭構造が構成されており、
表示部（３）が本体部（１）のグリップ部分に隣接して配置してあることを特徴とする小型電気機器。
【請求項２】
表示部（３）の少なくとも一部が透明な表示パネル（２３）で構成されており、
表示パネル（２３）に設けた機器情報表示（２４）を表裏両面から目視できる請求項１記載の小型電気機器。
【請求項３】
機器情報表示（２４）の表示要素が、文字、グラフ、光の明滅、発光色の違いのうち、少なくともいずれかひとつである請求項１または２記載の小型電気機器。
【請求項４】
本体部（１）と機能部（２）とが、両者の間に配置した表示部（３）を介して接続されている請求項１または２または３記載の小型電気機器。
【請求項５】
本体部（１）が、外突状に膨出形成された後湾曲面（１１）を含んで、左右が扁平な卵形状に形成されており、
本体部（１）の前後中心に沿う長手方向中心軸線（Ｋ）と、機能部（２）の長手方向中心軸線（Ｌ）とが、平面視においてほぼ直交している電気かみそりである請求項４記載の小型電気機器。
【請求項６】
本体部（１）に電池（４）、制御基板（５）およびスイッチ（６）が組み込まれており、
機能部（２）の内部に、内刃（１７）および外刃（１８）を含む切断構造と、内刃駆動用のモーター（１４）とが組み込まれている請求項５記載の小型電気機器。
【請求項７】
本体部（１）と機能部（２）とが前後厚みの小さな表示部（３）で繋がっており、
本体部（１）の後湾曲面（１１）の上端と表示部（３）の基端との間に、後指受（３０）が形成されている請求項５または６記載の小型電気機器。
【請求項８】
機能部（２）の左右幅（Ｄ）が、本体部（１）の左右幅（Ｈ）より大きく設定されており、
表示部（３）が、本体部（１）の左右側面から機能部（２）の下面両側に連続する状態で逆三角形状に形成されている請求項５または６または７記載の小型電気機器。
【請求項９】
本体部（１）の上面と機能部（２）の下面の前後中途部とが、前後厚みの小さな表示部（３）で繋がっている請求項５または６記載の小型電気機器。
【請求項１０】
本体部（１）の後湾曲面（１１）が、キャノピー状に形成されている請求項５記載の小型電気機器。
【請求項１１】
本体部（１）の前湾曲面（１０）の湾曲半径が、後湾曲面（１１）の湾曲半径より大きく設定してある請求項５または１０記載の小型電気機器。
【請求項１２】
表示部（３）が、逆三角形状の連結部（３ｂ）と、本体部（１）に固定される基部（３ａ）とで構成されており、
前記基部（３ａ）より後側に位置する本体部（１）の横断面が、放物線状に形成されている請求項５記載の小型電気機器。
【請求項１３】
表示部（３）の連結部（３ｂ）が、板状に形成されている請求項８記載の小型電気機器。
【請求項１４】
表示部（３）の連結部（３ｂ）の少なくとも一部が透明材で形成されている請求項１３記載の小型電気機器。
【請求項１５】
表示部（３）の連結部（３ｂ）に、小型電気機器の運転状態を表示する表示パネル（２３）が設けてある請求項１３または１４記載の小型電気機器。
【請求項１６】
表示パネル（２３）が、表示部（３）の連結部（３ｂ）の左右側縁に沿って上拡がり状に形成してある請求項１５記載の小型電気機器。
【請求項１７】
表示パネル（２３）の全体が透明材で形成されていて、表示パネル（２３）に表示された運転表示を表裏から視認できる請求項１５または１６記載の小型電気機器。
【請求項１８】
かみそりヘッド（２）と表示部（３）との間に、かみそりヘッド（２）を浮動支持するフロート機構が設けられている請求項５記載の小型電気機器。
【発明の詳細な説明】
【技術分野】
【０００１】
本発明は、各種の機器情報を表示するための表示部を備えている小型電気機器に関する。機器情報としては小型電気機器の運転状態情報、小型電気機器の固有情報、さらには、小型電気機器のメンテナンス情報などがある。本発明の小型電気機器とは、電気かみそり、電動バリカン、電動歯ブラシ、マッサージ器などの機器を含み、２次電池など、あるいは２次電池とモーターなどを収容する本体部と、モーター動力を受けて作動する機器が設けられる機能部とを備えていることを前提とする。
【背景技術】
【０００２】
この種の小型電気機器において、本体部に何らかの表示手段を設けることは公知である。例えば特許文献１では、電気かみそりの本体部に発光表示装置を組み込んでいる。発光表示装置は、発光ダイオードと面状に発光する導光体などで構成してあり、導光体と、導光体とは別に設けた複数個の発光ダイオードとで、電気かみそりの稼動状態、運転モード、電池残量などを表示している。同様の表示装置は、特許文献２、３にもみられる。
【０００３】
【特許文献１】特開２００２−３１５９７８号公報（段落番号００２５、図１）
【特許文献２】特開２００１−１９５０１９号公報（段落番号００２５、図３）
【特許文献３】特開２００４−２２２９８０号公報（段落番号００３８、図５）
【発明の開示】
【発明が解決しようとする課題】
【０００４】
従来の電気かみそりにおいては、多くの場合、グリップを兼ねる本体部の外面に表示装置が設けられている。そのため、本体部を手で握り保持した状態において、表示装置の外面の一部あるいは大半が手で覆われて、表示状態を視認できないことがある。表示装置は、光源となる発光ダイオードの点灯や点滅、あるいは発光色を変化させるなどにより、電気かみそりの稼動状態、運転モード、電池残量などを表示する。しかし、各発光ダイオードの各発光状態が何を表わしているかを予め理解していない限り、稼動状態や運転モードを把握することはできない。
【０００５】
例えば、携帯電話で用いられるような小形の液晶ディスプレイで表示装置を構成すると、先の光を表示要素とするシグナルに加えて文字や数値などを同時に表示できるので、表示の内容が具体的に誰しもが理解しやすいものになる。問題は、表示装置を電気かみそりのどこに配置するかである。先に説明したように、本発明が対象とする電気かみそり等においては、本体部がグリップを兼ねることが多いため、単に本体部に液晶ディスプレイを付加しただけでは、表示の見やすさが損なわれる点で不満が残るからである。
【０００６】
本発明の目的は、グリップを兼ねる本体部と、機能部と、表示部との３者で構成してあって、本体部を手で握り保持した状態でおいても、運転状態情報などを明確に表示できる小型電気機器を提供することにある。本発明の目的は、運転状態情報以外に、小型電気機器の固有情報、さらにはメンテナンス情報など、多様な表示内容を表示できる小型電気機器を提供することにある。
【０００７】
本発明の目的は、握力が弱い使用者や、指関節の自由が利きにくい使用者であっても、本体部を無理なく確実に握りしめることができる小型電気機器を提供することにある。
【課題を解決するための手段】
【０００８】
本発明の小型電気機器は、グリップを兼ねる本体部１と、機能部２と、機器情報を表示する表示部３とで外郭構造が構成されており、表示部３が本体部１のグリップ部分に隣接して配置してあることを特徴とする。表示部３に表示される機器情報表示２４としては、小型電気機器の運転状態情報、小型電気機器の固有情報、さらには小型電気機器のメンテナンス情報などがある。
【０００９】
表示部３の少なくとも一部を透明な表示パネル２３で構成して、表示パネル２３に設けた機器情報表示２４を表裏両面から目視できるようにすることができる。機器情報表示２４の表示要素は、文字、グラフ、光の明滅、発光色の違いのうち、少なくともいずれかひとつを選ぶことができる。具体的には、本体部１と機能部２とが、両者の間に配置した表示部３を介して接続されている。この発明における文字とは、アラビア数字や学術記号などを含む、広義の文字を意味する。
【００１０】
本発明は、電気かみそりにおいて、本体部１が、それぞれ外突状に膨出形成される前湾曲面１０および後湾曲面１１を含んで、左右が扁平な卵形状に形成されており、図３に示すごとく、本体部１の前後中心に沿う長手方向中心軸線Ｋと、機能部２の長手方向中心軸線Ｌとが、平面視においてほぼ直交している。以下、電気かみそりについて説明する。
【００１１】
その本体部１には電池４、制御基板５およびスイッチ６を組み込む。機能部２の内部に内刃１７および外刃１８を含む切断構造と、内刃駆動用のモーター１４とが組み込まれている。
【００１２】
本体部１と機能部２とは前後厚みの小さな表示部３で繋ぎ、本体部１の後湾曲面１１の上端と表示部３の基端との間に後指受３０を形成することができる。
【００１３】
前記機能部２の左右幅Ｄは、本体部１の左右幅Ｈより大きく設定し、表示部３は、本体部１の左右側面から機能部２の下面両側に連続する状態で逆三角形状に形成することができる。その際に、本体部１の上面と、機能部２の下面の前後中途部とは、前後厚みの小さな表示部３で繋ぐことができる。本体部１の後湾曲面１１はキャノピー状に形成することができる。本体部１の前湾曲面１０の湾曲半径は、後湾曲面１１の湾曲半径より大きく設定するとよい。
【００１４】
前記表示部３は、逆三角形状の連結部３ｂと、本体部１に固定される基部３ａとで構成されており、前記基部３ａより後側に位置する本体部１の横断面は放物線状に形成することができる。その場合の表示部３の連結部３ｂは板状に形成するとよい。更に、表示部３の連結部３ｂの少なくとも一部を透明材で形成することができる。表示部３の連結部３ｂに、小型電気機器の運転状態を表示する表示パネル２３を設けるとよい。表示パネル２３は、表示部３の連結部３ｂの左右側縁に沿って上拡がり状に形成することができる。
【００１５】
表示パネル２３の全体を透明材で形成して、表示パネル２３に表示された運転表示を表裏から視認できるようにすることができる。
【００１６】
かみそりヘッド２と表示部３との間には、かみそりヘッド２を浮動支持するフロート機構を設けることができる。
【発明の効果】
【００１７】
本発明の小型電気機器では、グリップを兼ねる本体部１と、機能部２と、機器情報を表示する表示部３とで外郭構造を構成し、表示部３を本体部１のグリップ部分に隣接して配置するので、本体部１を手で握り保持した状態において、表示部３が手で覆い隠されるのを防止できる。したがって、本発明によれば、小型電気機器を握り保持して使用する際に、表示部３に表示された機器情報表示２４を視認することにより、小型電気機器の運転状態などを明確に知ることができる。
【００１８】
表示部３の少なくとも一部を透明な表示パネル２３で構成して、表示パネル２３に設けた機器情報表示２４を表裏両面から目視できるようにすると、鏡に映った機器情報表示２４によって運転状態を確認することができる。さらに、機器情報表示２４を非表示状態に切り換えると、透明な表示パネル２３を介して肌の状態を鏡に写すことができるので、小型電気機器が例えば電気かみそりの場合、肌の状態や剃り残したひげの有無を確認しながら適確にひげそりを行える。
【００１９】
機器情報表示２４の表示要素は、文字、グラフ、光の明滅ないし発光色の違いの少なくともひとつで構成することができ、異なる表示要素を組み合わせて機器情報表示２４を構成することにより、表示内容がより具体的で多彩なものになる。とくに、表示パネル２３が液晶パネルで構成されていると、先の表示要素を自由に組み合わせて表示できるので、使用者にとって理解しやすい機器情報表示２４になるし、運転状態情報以外に小型電気機器の固有情報や、メンテナンス情報など、表示内容を多様化できる。
【００２０】
本体部１と機能部２とが両者の間に配置した表示部３を介して接続されていると、表示部３が手で覆い隠されるのを防止しながら、手許の近傍に設けた表示部３の機器情報表示２４を見ることができる。例えば、本体部１の側方に表示部３を設ける場合には、本体部１を握る際や握り換える際などに、表示部３が邪魔になるおそれがあるが、こうした不具合を一掃できる利点もある。
【００２１】
本体部１が、それぞれ外突状に膨出形成された前湾曲面１０および後湾曲面１１を含んで、左右が扁平な卵形状に形成されていると、本体部１を片手で握った状態において、本体部１の周面全体を第１指から第５指ですっぽりと包み込むように保持できる。したがって、従来の電気かみそりに比べて握りやすさが格段に向上し、握った状態をより小さな力で維持し続けることができ、握力が弱い使用者や、指関節の自由が利きにくい使用者であっても、電気かみそりを無理なく確実に握りしめることができる。電気かみそりの前後中心に沿う長手方向中心軸線Ｋが、機能部２の長手方向中心軸線Ｌと平面視においてほぼ直交していると、本体部１を片手で握った状態において、意識する必要もなく自然に機能部２が使用者と正対するので、一度握った後に手を握り換えて電気かみそりの姿勢を整える必要がなく、握力が弱い使用者や、指関節の自由が利きにくい使用者であっても、電気かみそりを確実に保持した状態で使用できる。
【００２２】
電池４、制御基板５およびスイッチ６などを本体部１に組み込み、内刃１７および外刃１８を含む切断構造と、内刃駆動用のモーター１４などを機能部２に組み込んであると、モーター１４の動力を最短距離で内刃１７に伝動できるので、動力の伝動ロスを最小限化できる。他の部品に比べて占有スペースが大きな電池４とモーター１４とを、本体部１と機能部２とに分けて配置するので、本体部１の側に電池４およびモーター１４を集約配置する場合に比べて、本体部１が小形でコンパクトなものになり、本体部１を握った状態において、その周面全体を片手ですっぽりと包み込むように保持できる。
【００２３】
本体部１と機能部２とを前後厚みの小さな表示部３で繋がっていると、電気かみそりの外観上の印象、とくに側面から見た印象をスリムで軽快な感じになる。さらに、本体部１の後湾曲面１１の上端を表示部３の基端部分に対して大きな角度で交差させて、後湾曲面１１の上端に後指受３０を形成することにより、本体部１を後湾曲面１１に沿って、斜め上、後、斜め下の多様な方向から握ることができるので、より握りやすい本体部１が得られるうえ、本体部１をより小さな力で確実に握り保持できる。
【００２４】
表示部３が、幅狭な本体部１の左右側面から、左右横長の機能部２の下面両側に連続する状態で逆三角形状に形成されていると、本体部１の握りやすさを維持しながら、本体部１を握った手が機能部２側へずれ動くのを表示部３の両側縁で受け止めて規制し、握力が弱い場合や、指関節の自由が利きにくい場合でも、より確実に本体部１を握り保持できる。
【００２５】
本体部１の上面と、機能部２の下面の前後中途部とが、前後厚みの小さな表示部３で繋がっていると、電気かみそりを側面から見たときの印象は、さらにスリムで軽快な感じに加えて繊細さも付加され、表示部３の下部に設けられる卵形の本体部１の外観形状と相俟って、さらに斬新な意匠効果を発揮する。本体部１を握り保持した状態において、第２指を表示部３で受け止めることができるので、さらに安定したグリップ態様が得られる。
【００２６】
本体部１の後湾曲面１１がキャノピー状に形成されていると、本体部１を握った状態において、第２指から第５指の各指関節を自然に折り曲げた状態のままで、各指を本体部１の後面形状にフィットさせることができるので、本体部１の握りやすさを向上し、さらに確実に保持できる。
【００２７】
本体部１の前湾曲面１０の湾曲半径が、後湾曲面１１の湾曲半径より大きく寸法設定されていると、後湾曲面１１に掛けた第２指から第５指の各指と、前湾曲面１０を受け止める母指球とで、本体部１を安定した状態下で確りと握り保持できるので、たとえ握力が弱い場合や、指関節の自由が利きにくい場合でも、より安定した状態で本体部１を保持できる。
【００２８】
逆三角形状の連結部３ｂと、本体部１に固定される基部３ａとで表示部３を構成し、基部３ａより後側に位置する本体部１の横断面を放物線状に形成してあると、本体部１を左右幅が小さく前後幅が大きな卵形に形成して、さらに自然なグリップ形態で本体部１を握り持つことができる。
【００２９】
表示部３の連結部３ｂが板状に形成されていると、電気かみそりの外観をさらにシンプルなものとして軽快感と繊細な感じとを強調できる。板状の連結部３ｂは、形状および構造がシンプルな分だけ成形用金型の構造が簡素化し、低コストで製作できることにもなる。
【００３０】
表示部３の連結部３ｂの少なくとも一部が、透明材で形成されていると、電気かみそりを使用しながら、透明な部分を介して鏡に映ったひげそり後の肌面を視認できるので、迅速にしかも効果的にひげそりを行える。
【００３１】
表示部３が連結部３ｂに設けてあると、本体部１を握った状態のままで、表示部２３を視野に入れるだけの簡単な操作で、電気かみそりの運転状態を確認できる。
【００３２】
表示パネル２３が、表示部３の連結部３ｂの左右側縁に沿って上拡がり状に形成されていると、連結部３ｂの殆どの部分を表示パネル２３として利用できるので、表示パネル２３の面積を拡大して多様な表示を行うことができる。
【００３３】
表示パネル２３の全体を透明材で形成し、表示パネル２３に表示された運転表示を表裏から視認できるようにしてあると、鏡に映った機器情報表示２４によって電気かみそりの運転状態を確認することができる。例えば、喉から顎に掛けてひげそりを行うような場合でも、その状態のまま鏡に映った機器情報表示２４を視認して運転状態を確認できる。
【００３４】
かみそりヘッド２と表示部３との間に設けたフロート機構でかみそりヘッド２が浮動支持されていると、かみそりヘッド２を肌面に沿って上下動あるいは左右傾動させて、ひげ切断を効果的に行える。機器類を内蔵しない表示部３とかみそりヘッド２との間にフロート機構を設けるので、フロート機構を簡素化できる。
【発明を実施するための最良の形態】
【００３５】
（実施例）  図１ないし図５は、本発明を小型電気機器のひとつである電気かみそりに適用した実施例を示す。図１および図２において電気かみそりは、グリップを兼ねる本体部１と、かみそりヘッド（機能部）２と、機器情報を表示する表示部３との三者で外郭構造を構成している。
【００３６】
本体部１の内部には、前後一対の２次電池（電池）４と、制御基板５などが組み込まれている。本体部１の前面上部に、モーター１４の通電状態をオン状態とオフ状態に切り換えるスイッチ６と、スイッチ６を切り換え操作するスイッチボタン７とが配置してある。符号８は本体部１の底面に設けた充電用のプラグである。
【００３７】
スイッチボタン７は押しボタン構造になっており、押し込み操作することによりオン状態と、オフ状態とに切り換えることができる。スイッチボタン７を前湾曲面１０の上部湾曲部分に配置することにより、スイッチボタン７の沈込み方向と、押し込み操作するときの親指の折り曲げ方向とが一致するので、スイッチボタン７を自然な動作で容易に切り換え操作できる。
【００３８】
図２において本体部１は、表示部３の基部３ａで前後に分割されており、基部３ａより前側の前ケース１ａと、表示部３より後側の後ケース１ｂと、前後ケース１ａ・１ｂに挟まれる基部３ａとで構成されている。前ケース１ａは外形が花弁状に形成されるプラスチック成形品からなり、その前面に外突状に膨出する前湾曲面１０を設けてある。
【００３９】
後ケース１ｂは、基部３ａとの接合面で開口する容器状のプラスチック成形品からなり、その周囲が後方へ向かって外突状に膨出形成される後湾曲面１１で覆われ、図３に示すように横断面が放物線状に形成してある。
【００４０】
こうしたケース構造を採ることにより、後ケース１ｂは全体としてキャノピー状（円蓋型風防状）に形成され、その前後幅寸法は左右幅寸法に比べて充分に大きい。本体部１を握りやすくするために、前湾曲面１０の湾曲半径は、後湾曲面１１の湾曲半径に比べて充分に大きく設定してある。
【００４１】
基部３ａと後ケース１ｂとは、基部３ａの側からねじ込んだビスで締結し、基部３ａの前面に前ケース１ａを圧嵌係合することにより、本体部１を左右が扁平な卵形状に構成できる。
【００４２】
このように左右が扁平な卵形状に構成した本体部１は、その周面を片手で握りしめた状態において、図５に示すように、前湾曲面１０を母指球で受け止め、後湾曲面１１を第２指から第５指で包み込むように保持できるので、従来の電気かみそりに比べて握りやすさが格段に向上する。したがって、握力が弱い使用者や、指関節の自由が利きにくい使用者であっても、かみそり本体を無理なく確実に握りしめることができる。
【００４３】
図１において、かみそりヘッド２は、モーター１４および減速ユニット１５を収容するヘッドケース１６と、ヘッドケース１６の上部に立設した左右一対のブラケットで回転自在に軸支される内刃１７と、内刃１７に外接する外刃１８と、外刃１８をアーチ状に保形する外刃ホルダー１９などで構成してある。外刃ホルダー１９はヘッドケース１６に対して着脱できる。減速ユニット１５の回転動力は、タイミングベルト機構２０を介して内刃１７に伝動される。内刃１７および外刃１８によってロータリー式の切断構造が構成されている。
【００４４】
本体部１とかみそりヘッド２とは、図３に示すように、本体部１の前後中心に沿う長手方向中心軸線Ｋと、かみそりヘッド２の長手方向中心軸線Ｌとが、平面視において直交するように配置する。これにより、左右横長のかみそりヘッド２に対して、グリップを兼ねる本体部１の後湾曲面１１を後方へ大きく突出させることができる。図５に示すように、本体部１を片手で握った状態では、意識する必要もなく自然に外刃１８が使用者と正対するので、ひげそりを楽に行える。
【００４５】
図１において、表示部３は、本体部１の前後ケース１ａ・１ｂで挟まれる基部３ａと、基部３ａの上部に連続して逆三角形状に形成される連結部３ｂとを一体に備えた中空板状のプラスチック成形品からなり、図２に示すように側面視形状が緩やかに湾曲するＳ字形状としてある。
【００４６】
連結部３ｂの面壁には逆三角形状の窓２２が開口しており、この窓２２を塞ぐ状態で透明の表示パネル２３を嵌め込んである。窓２２および表示パネル２３が占める面積は、連結部３ｂの構造強度を損なわない範囲内で、可能な限り大きく設定してあり、これにより、従来の表示手段に比べて見やすさを格段に向上できる。窓２２を囲む周枠内の空間を利用してモーター１４の給電リード２６を配線してある（図４参照）。表示部３と、かみそりヘッド２とは、かみそりヘッド２側からねじ込んだビスで分離不能に締結固定する。
【００４７】
表示パネル２３には機器情報表示２４を設ける。この実施例では一群のドットで構成される運転表示を表示パネル２３に彫刻して機器情報表示２４とした。表示パネル２３の下端中央に配置したＬＥＤ２５で機器情報表示２４を照射することにより、例えば運転中と表示されたドット文字が明るく輝いて、電気かみそりが運転状態であることを明確に表わすことができる。
【００４８】
ＬＥＤ２５はスイッチ６がオン操作された状態において点灯するが、２次電池４の残量が４０％未満になると緩やかに点滅する。さらに、２次電池４の残量が２０％未満になると点滅間隔がさらに短くなる。図１に示すように、機器情報表示２４は文字や模様で形成する。
【００４９】
このように、透明の表示パネル２３に機器情報表示２４を設けてあると、表示パネル２３の表裏両面から機器情報表示２４を見ることができるので、喉から顎に掛けてひげそりを行うような場合でも、鏡に映った機器情報表示２４によって電気かみそりの運転状態を確認することができる。
【００５０】
窓２２の周縁壁は前指受２８として利用する。詳しくは図４および図５に示すように、本体部１を片手で握った状態において、親指の指尖球を左右いずれかの前指受２８にあてがい、その部分を押し込み操作することにより、かみそりヘッド２を容易に姿勢変更できる。
【００５１】
図１および図２において各部の寸法Ａ〜Ｉは以下のように設定した。かみそりヘッド２の前後幅をＡ、表示部３の連結部３ｂの前後厚みをＢ、本体部１の前後寸法をＣ、かみそりヘッド２の左右幅をＤ、連結部３ｂの上端の左右幅をＥ、窓２２の上端の左右幅をＦ、連結部３ｂの基端に形成したくびれ部分の左右幅をＧ、本体部１の左右幅をＨ、窓２２の上下寸法をＩとするとき、Ｂ＜Ａ＜Ｃとすることにより、電気かみそりの印象をスリムで軽快なものにすることができた。好ましくは、Ｂ寸法を５mmとするとき、Ａ寸法をＢ寸法の２ないし４倍に設定する。
【００５２】
Ｄ≒Ｅ、Ｇ＜Ｅ、Ｇ＞＝Ｈ、Ｄ＞Ｈとして、表示部３の連結部３ｂが本体部１の左右側面からかみそりヘッド２の下面両側に連続する状態で逆三角形状になるようにし、本体部１を手で握りしめやすくする。同時に握りしめた手が連結部３ｂの上方へずれ動くのを防止する。
【００５３】
Ｆ≒Ｉ＞Ｈとして、表示パネル２３を上拡がり状に形成し、その面積をできるだけ大きなものとし、機器情報表示２４を見やすくする。親指の指尖球を左右いずれかの前指受２８にあてがってかみそりヘッド２の姿勢変更するとき、前指受２８の左右位置が表示部３の縦中心軸からはなれる分だけ、表示部３に作用するモーメントを大きくして、かみそりヘッド２の姿勢変更を、より小さな力で楽に行えるようにした。
【００５４】
本体部１の左右幅Ｈを、かみそりヘッド２の前後幅Ａに比べて大きく設定することにより、本体部１の見た目をどっしりとした印象としながら、かみそりヘッド２の側をスリムで軽快な感じにまとめることができ、電気かみそり全体の印象をＴ字形のひげそりに似せて、重厚感と軽快感とが調和する斬新なデザインとすることができる。
【００５５】
以上のように、本体部１とかみそりヘッド２とを前後厚みが小さな連結部３ｂを介して繋ぎ、後ケース１ｂをキャノピー状に形成すると、図５に示すように、後湾曲面１１の上端と連結部３ｂの基端との間に、主として第２指の指先をかけるための後指受３０が形成されるので、本体部１をさらに安定した状態で握りしめることができる。
【００５６】
本体部１のスイッチボタン７とかみそりヘッド２との間に表示部３を配設するので、表示部３に表示された機器情報表示２４の内容を容易に確認できる。表示部３がかみそりヘッド２の近傍にあることと、使用時には、スイッチボタン７をオン操作した位置の近傍に親指を置いてひげそりを行うことが多く、表示部１が本体部１を握る手によって覆い隠されるのを防止できるからである。
【００５７】
図６は表示部３を変更した別実施例を示す。そこでは、表示パネル２３を透明な液晶パネルで構成して、機器情報表示２４を文字、グラフ、およびピクトグラフで表示できるようにした。詳しくは、スイッチボタン７をオン操作すると、運転モードを文字表示２４ａによって表示し、電池残量をピクトグラフ２４ｂおよび棒グラフ２４ｃで表示する。電池残量（％）は数値で表示することができ、あるいは、電気かみそりの使用可能時間として残り時間（分）を数値で表示することができる。
【００５８】
運転モードは、スイッチボタン７の下方に配置したセレクトボタン３３を押し込み操作することにより、センサーモード、マイルドモード、パワフルモード、ターボモードの４種のいずれかに切り換えることができ、各モードに応じて文字表示２４ａが変更される。センサーモードでは、モーター１４の負荷電流を検知して、内刃１７の駆動回転数を自動的に変更する。マイルドモードでは、内刃１７の駆動回転数を２５００ｒｐｍに固定する。同様に、パワフルモードでは、内刃１７の駆動回転数を３０００ｒｐｍに、ターボモードでは、内刃１７の駆動回転数を３５００ｒｐｍに、それぞれ固定する。
【００５９】
この実施例においても、表示パネル２３の表裏両面から機器情報表示２４を見ることができるので、鏡に映った機器情報表示２４によって電気かみそりの運転状態を確認できる。機器情報表示２４を非表示状態に切り換えると、透明な表示パネル２３を介して肌の状態を鏡に写すことができるので、肌の状態や剃り残したひげの有無を確認しながらひげそりを行える。
【００６０】
表示パネル２３が液晶パネルで構成されていると、運転状態情報はもちろんのこと、主な仕様や製造情報などの電気かみそりの固有情報や、電気かみそりのメンテナンス情報、例えば充電時期が近づいていること、内刃１７や外刃１８の交換時期が近づいていること、毛屑清掃が必要であること、あるいは電気かみそりの累積使用時間などの情報を必要に応じて表示することができる。他は先の実施例と同じであるので、下記の実施例も含めて、同じ部材に同じ符号を付してその説明を省略する。
【００６１】
図７は本体部１の一部を変更した実施例を示す。そこでは、後ケース１ｂの後面に沿って４個の滑り止め用の凹部３４を形成し、第２〜第４指を各凹部３４にあてがうことにより、本体部１を握った状態をさらに確実に保持できるようにした。
【００６２】
図８はかみそりヘッド２をフロート機構で浮動支持できるようにした。具体的には、ヘッドケース１６の下面左右に突設した連結脚３６を、表示部３の連結部３ｂの上端左右に設けたガイド穴３７で上下動自在に案内支持し、連結脚３６に嵌め込んだ圧縮コイル形のばね３８でかみそりヘッド２の全体を押し上げ付勢した。このように、かみそりヘッド２を左右のばね３８で浮動支持すると、かみそりヘッド２を上下動可能で、しかも左右傾動可能に支持できるので、外刃１８が肌面に変化に追随して密着する。
【００６３】
図９は本発明を美容用のマッサージ器に適用した実施例を示す。そこでは、グリップを兼ねる本体部１の一端にマッサージローラー（機能部）２を設け、本体部１の他端に表示部３を設けた。この実施例における表示パネル２３は液晶パネルで形成した。
【００６４】
図１０は本発明を電動バリカンに適用した実施例を示す。そこでは、グリップを兼ねる本体部１の一端にバリカンヘッド（機能部）を設け、本体部１の一側に表示部３を配置した。表示部３は本体部１と一体に設けた支持腕４０に固定した。この実施例における表示パネル２３は液晶パネルで形成した。この実施例から理解できるように、表示部３は、本体部１の上下、左右、前後の全周囲方向の任意の位置に配置することができる。
【００６５】
図１１は表示部３の別の実施例を示す。そこでは、表示部３をヘッドケース１６の下部に一体形成し、表示部３の下部に本体部１を設けるようにした。この場合の表示パネル２３は、表示部３の前壁に形成した窓２２を塞ぐ状態で配置してあり、図１や図６で説明した表示パネル２３とは異なり、電気かみそりの背面側から表示パネル２３を見ることはできない。
【００６６】
図１２は表示部３のさらに別の実施例を示す。そこでは、ヘッドケース１６の前壁に表示部３を設け、ヘッドケース１６の下部に本体部１を設ける点が図１１の電気かみそりと異なる。
【００６７】
上記の実施例以外に、表示部３これ自体は透明なプラスチック板材で形成して、表示部３が表示パネル２３を兼ねることができる。表示パネル２３に機器情報表示２４を投影することによって表示することができる。表示パネル２３に代えてＥＬ素子や蛍光管などの表示手段を表示部３に設けてもよい。表示部３や表示パネル２３に拡大レンズを設けることができる。
【００６８】
必要があれば、窓２２を円形や楕円形、あるいは矩形などに形成してもよい。図１あるいは図６に示す表示部３において、窓２２を円形とし、その直径をＦとするとき、各部の寸法関係をＦ≒Ｉ＞Ｈとすることにより表示パネル２３の面積を大きくして、明確で見やすい表示部３を構成することができる。表示部３は側面視においてＳ字とする必要はなく、平板状に形成することができる。
【００６９】
本体部１は必ずしも扁平な卵形である必要はない。例えば、前ケース１ａの前面形状を内凹み湾曲形状や、平坦形状に形成することができる。電気かみそりにおける各部の寸法は、先に説明した寸法割合であることが好ましいが、必要があれば連結部３ｂの前後厚みＢと、本体部１の前後寸法Ｃとは同じにすることができる。意匠効果を高めるために、前後ケース３ａ・３ｂを上方へ延長し、延長した部分で連結部３ｂを前後に挟むことができる。その場合には、延長した部分の前後厚み寸法を小さく設定して、先に説明した各部の寸法割合を満足できるようにする。
【００７０】
前記基部３ａは、本体部１の前面に締結固定することができる。必要があれば、表示部３を連結部３ｂのみで形成して、基部３ａを省略することができる。その場合には、連結部３ｂを本体部１と一体に成形することができる。スイッチボタン７は、プッシュボタンである必要はなく、上下方向にスライドしてオン・オフするスライドボタンであってもよい。その場合には、スイッチボタン７を前湾曲面１０の上端寄りに配置しておくことにより、オン状態に切り換えたスイッチボタン７が、誤ってオフ状態に切り換えられるのをよく防止できる。前湾曲面１０の上部は、基部３ａへ向かって近接しながら湾曲しており、図５に示すように、本体部１を握りしめてひげを剃る状態においては、本体部１を握る親指を含めた手が、スイッッチボタン７のある本体部１の上部部分において、上向の力が作用するのでＯＦＦされ難い。
【図面の簡単な説明】
【００７１】
【図１】電気かみそりの正面図
【図２】電気かみそりの右側面図
【図３】電気かみそりの平面図
【図４】電気かみそりのグリップ態様を示す横断平面図
【図５】電気かみそりのグリップ態様を示す側面図
【図６】表示部の別の実施例を示す斜視図
【図７】かみそり本体の別の実施例を示す側面図
【図８】かみそりヘッドの別の支持構造例を示す一部破断正面図
【図９】本発明の別の実施例を示す斜視図
【図１０】本発明の別の実施例を示す平面図
【図１１】本発明の別の実施例を示す正面図
【図１２】本発明の別の実施例を示す正面図
【符号の説明】
【００７２】
１  本体部
２  機能部（かみそりヘッド）
３  表示部
３ａ  表示部の基部
３ｂ  表示部の連結部
４  電池
５  制御基板
６  スイッチ
１０  本体部の前湾曲面
１１  本体部の後湾曲面
１４  モーター
１７  内刃
１８  外刃
２３  表示パネル
２４  機器情報表示
３０  後指受
Ｄ  機能部の左右幅
Ｈ  本体部の左右幅
Ｋ  本体部の前後に沿う長手方向中心軸線
Ｌ  機能部の長手方向中心軸線
【図１】
2006141901.tif 000003
【図２】
2006141901.tif 000004
【図３】
2006141901.tif 000005
【図４】
2006141901.tif 000006
【図５】
2006141901.tif 000007
【図６】
2006141901.tif 000008
【図７】
2006141901.tif 000009
【図８】
2006141901.tif 000010
【図９】
2006141901.tif 000011
【図１０】
2006141901.tif 000012
【図１１】
2006141901.tif 000013
【図１２】
2006141901.tif 000014